(57)【要約】【課題】フィット性を維持しながら適度なホールド性を有するシューズを提供する。【解決手段】本発明のシューズ(34)は、ソール(32)とアッパー(33)を含む。アッパー(33)はニット組織からなる生地により構成されており、アッパー(33)の所定の位置に繊維補強部(23,24,25)を一体的に含む。繊維補強部（23,24,25）は、複数本の浮き編糸(19)による浮き編みである。アッパーをニット組織からなる生地で構成することにより、適度に伸展するので、使用者の足に適度なフィット感を付与することができる。また、アッパーの所定の位置に繊維補強部を一体的に設けることによって、ソールが地面についた状態で足の力の方向を急激に変更する場合にも、繊維補強部により、ホールドしたい足の所定の位置を十分にホールドすることができる。【選択図】図９
2015066280.tif 000002
【特許請求の範囲】
【請求項１】
ソールとアッパーを含むシューズであって、
前記アッパーは、ニット組織からなる生地により構成されており、
前記アッパーの所定の位置に繊維補強部を一体的に含み、
前記繊維補強部は、複数本の浮き編糸による浮き編みであることを特徴とするシューズ。
【請求項２】
前記繊維補強部は、第１中足骨から第５中足骨の少なくとも一部と対応する位置に設けられている請求項１に記載のシューズ。
【請求項３】
前記繊維補強部は、第１及び第５指中足部骨頭を覆う位置は避けて配置する請求項１又は２に記載のシューズ。
【請求項４】
前記繊維補強部は、楔状骨、立方骨及び舟状骨の少なくとも一部と対応する位置と、外踝下部、内踝下部及び踵骨上部の少なくとも一部と対応する位置とに設けられている請求項１〜３のいずれか１項に記載のシューズ。
【請求項５】
前記繊維補強部のうち、楔状骨、立方骨及び舟状骨の少なくとも一部と対応する位置の繊維補強部と、外踝下部、内踝下部及び踵骨上部の少なくとも一部と対応する位置の繊維補強部とは連続している請求項４に記載のシューズ。
【請求項６】
前記繊維補強部は、前記浮き編糸がシューズの内側に配置されることにより構成されている請求項１〜５のいずれか１項に記載のシューズ。
【請求項７】
前記浮き編部分の浮き編糸方向のひずみ比（伸長比）１（測定前の長さの２倍）のときの応力が、ベース編部分の同応力に比べて１．２倍以上である請求項１〜６のいずれか１項に記載のシューズ。
【請求項８】
前記アッパーは、ニット組織からなる生地により構成されたソックス形状を有しており、ソックス形状のまま前記ソックスの底部がソールに固定されている請求項１〜７のいずれか１項に記載のシューズ。
【請求項９】
前記シューズはスポーツ用である請求項１〜８のいずれか１項に記載のシューズ。
【発明の詳細な説明】
【技術分野】
【０００１】
本発明はシューズに関し、さらに好ましくはソールとアッパーを含むシューズに関する。
【背景技術】
【０００２】
従来、網目状の材料からなり、網目状であることにより伸展性を有するマトリクス層からなるアッパーを備えるシューズが知られている（下記特許文献１）。この特許文献１によるシューズのアッパーは、運動を行った際などに、その伸展性により、足の動きが制限されないようになっており、その結果、着用者に快適な感触（フィット感）を提供している。
【先行技術文献】
【特許文献】
【０００３】
【特許文献１】特開２０１０−４２２７０号公報
【発明の概要】
【発明が解決しようとする課題】
【０００４】
ここで、一般的に、使用者が足の動きを止めるなど、ソールが地面についた状態で足の力の方向を急激に変更する場合に、アッパーが足を保持することにより、シューズと足とのズレを抑制すると考えられる。しかしながら、上記特許文献１のシューズでは、足の動きが制限されないように、伸展性を有するマトリクス層からなるアッパーを設けているため、ソールが地面についた状態で足の力の方向を急激に変更する場合に、シューズと足とのズレを十分に抑制することができないと考えられる。その結果、足とシューズとがずれて足を十分にホールドできないという問題点があると考えられる。
【０００５】
本発明は、前記従来の問題を解決するため、フィット性を維持しながら適度なホールド性を有するシューズを提供する。
【課題を解決するための手段】
【０００６】
本発明のシューズは、ソールとアッパーを含むシューズであって、アッパーは、ニット組織からなる生地により構成されており、アッパーの所定の位置に繊維補強部を一体的に含み、繊維補強部は、複数本の浮き編糸による浮き編みであることを特徴とする。
【発明の効果】
【０００７】
本発明のシューズのアッパーをニット組織からなる生地により構成することによって、ニット組織のアッパーが適度に伸展するので、使用者の足に適度なフィット感を付与することができる。また、アッパーの所定の位置に繊維補強部を一体的に設けることによって、ソールが地面についた状態で足の力の方向を急激に変更する場合にも、繊維補強部により、ホールドしたい足の所定の位置を十分にホールドすることができる。さらに、繊維補強部を複数本の浮き編糸による浮き編みにすることによって、ニット組織からなる生地が適度に伸展したところで浮き編みの浮き編糸のテンションが高くなり、その結果、足をしっかりとホールドすることができる。このように浮き編みからなる繊維補強部を設けることにより、繊維補強部を樹脂やゴムなどの素材で設ける場合とは異なり、アッパーに適度なホールド性を持たせることができる。以上より、フィット性を維持しながら適度なホールド性を有するシューズを提供できる。加えて、アッパーをニット組織とし、繊維補強部として浮き編みを設けたことにより、コストも安価にできる。
【図面の簡単な説明】
【０００８】
【図１Ａ】図１Ａはランニング時の足の皮膚の伸び分布を示す正面図と裏面図である。
【図１Ｂ】図１Ｂは同、足の皮膚の伸び分布を示す右側面図と左側面図である。
【図２Ａ】図２Ａはランニング時の足の皮膚の縮み分布を示す正面図と裏面図である。
【図２Ｂ】図２Ｂは同、足の皮膚の縮み分布を示す右側面図と左側面図である。
【図３】図３Ａは人体の足の骨格斜視図及び本発明の一実施形態の繊維補強部を示す模式的斜視図、図３Ｂは同平面図である。
【図４】図４は本発明の一実施形態の繊維補強部に使用する浮き編組織の模式的編み立て図である。
【図５】図５は本発明の一実施形態の繊維補強部に使用する浮き編組織の組織図である。
【図６】図６は本発明の一実施形態で使用するソックス形状のアッパーの外観斜視図である。
【図７】図７は同、底から見た底面図である。
【図８】図８は本発明の一実施形態のシューズの外観斜視図である。
【図９】図９は本発明の別の一実施形態のシューズの外観斜視図である。
【図１０】図１０は本発明の一実施形態のソックスの繊維補強部とベース編部の応力−ひずみ（伸び）グラフである。
【発明を実施するための形態】
【０００９】
本発明者らは、ニット組織からなるアッパーにソールを貼り付けてシューズにすることを考え付いた。しかし、ニット組織からなるアッパーは、フィット性はあるもののホールド性が乏しく、そのままではこのようなシューズを用いてスポーツを行うことは困難である。そこで、ニット組織からなるアッパーの所定位置（特定位置）に繊維補強部を一体的に設けることを着想した。本発明はこのような着想から検討を重ねて完成したものであり、特に、スポーツに好適なシューズを実現したものである。
【００１０】
本発明は、ソールとアッパーを含むシューズである。ソールはシューズに使用するものであればどのようなものでも使用できる。好ましくはスポーツ用シューズのソールであり、クッション性、反発力などを有するソールが好ましい。アッパー内にはインナーソールを入れてもよい。
【００１１】
本発明のシューズは、例えばランニング時の皮膚の伸びと縮みを分析することにより、どのような位置に繊維補強部を配置するかを検討することから始めた。図１Ａ及び図１Ｂはランニング時の足の皮膚の伸び分布を示す正面図、裏面図及び両側面図であり、ドットの色が濃いほど伸びが大きいことを示している。図２Ａ及び図２Ｂはランニング時の足の皮膚の縮み分布を示す正面図、裏面図及び両側面図であり、ドットの色が濃いほど縮みが大きいことを示している。これらの分析から、アッパーにおける繊維補強部の位置は、一例として下記のＡ〜Ｃの位置を含むことが好ましいことがわかった。
Ａ  楔状骨、立方骨及び舟状骨を抑える位置
Ｂ  外踝下部、内踝下部及び踵骨上部を抑える位置
Ｃ  第１中足骨から第５中足骨の少なくとも一部を押さえる位置
【００１２】
前記Ａ〜Ｃの位置を図面で示すと図３Ａ−Ｂのようになり、繊維補強部（Ａ）１と繊維補強部（Ｂ）２と繊維補強部（Ｃ）３のようになる。繊維補強部（Ａ）１は内側楔状骨１０、中間楔状骨１１、外側楔状骨１２、立方骨１３及び舟状骨１４を抑える位置に配置される。繊維補強部（Ｂ）２は外踝下部、内踝下部及び踵骨１７上部を抑える位置に配置される。繊維補強部（Ｃ）３は第１中足骨５、第２中足骨６、第３中足骨７、第４中足骨８及び第５中足骨９の少なくとも一部を押さえる位置に配置される。１５は距骨、１６は腓骨である。繊維補強部（Ｃ）３は、第１指中足部骨頭４ａ及び第５指中足部骨頭４ｃを覆う位置は避けて配置することが好ましい。第１及び第５指中足部骨頭を押さえると痛みを感ずる人もあるからである。また、前記繊維補強部（Ａ）と（Ｂ）は一部つなげても良い。
【００１３】
本発明のシューズのアッパーは、ニット組織からなる生地により構成されており、好ましくはアッパーの所定の位置に繊維補強部１〜３を一体的に含み、繊維補強部１〜３は、複数本の浮き編糸による浮き編み（ウェルト(welt)編みともいう）である。この編み組織は、例えば丸編みの場合、浮き編み組織により実現できる。繊維補強部１〜３は、浮き編糸をシューズの内側に配置するのが好ましい。浮き編みはニット組織からなる生地のベース編地と一体的に編成でき、形態安定性、耐久性が良い。ベース編地は、たとえば、タック編、裏タック編または天竺編のいずれか、または、これらが組み合わされた編地により構成されている。浮き編糸をシューズの内側に配置するのは、デザイン上の見栄えを良くし、安全上の配慮もある。浮き編みの一例を図４に示す。図４において表糸１８と裏糸１９は通常のニットと同様１ループごとに編み目を形成しているが、浮き編み糸２０は１〜１０ループ飛ばして(浮かせて)編成されている。
【００１４】
図５は本発明の一実施形態の繊維補強部に使用する浮き編組織の組織図である。この編み物は１〜４コースは平編み４１と２回裏糸タック編み４２で地組織の編み物が編成され、５〜１０コースは平編み４１と２回裏糸タック編み４２をそれぞれ２ループ浮かせた浮き編み糸２０で浮き編み物が編成されている。
【００１５】
浮き編部分の浮き編糸方向のひずみ比（伸長比）１（測定前の長さの２倍に伸長）のときの応力は、ベース編部分の同応力に比べて１．２倍以上であるのが好ましい。さらに好ましい倍率は１．５倍以上である。前記の範囲であれば、浮き編部分の補強効果は十分なものとなる。すなわち、足に様々な方向の力が掛かってもシューズの変形は防止でき、足の安全性を確保できる。
【００１６】
ニット組織からなる生地に使用する繊維は、弾性糸を含む繊維糸が好ましい。弾性糸は、ポリウレタン系弾性糸及びポリエステル系弾性糸から選ばれる少なくとも一つであることが好ましい。ストレッチ性が高く、アッパーを足にフィットさせることに適しているからである。弾性糸は、ベアヤーン（裸糸）として、非弾性糸（リジッド糸）と引きそろえて使用しても良いし、又は表面にポリエステル繊維、ナイロン繊維、アクリル繊維、ウール、木綿などが被覆されたカバードヤーンとして使用しても良い。
【００１７】
このニット組織からなる生地は、例えばロナティー社製の丸編機を使用して編成できる。この編機のうち、本発明に特に好適なのは、編機の径が３．７５インチであり、針本数が１３２もしくは１４４本の編機である。
【００１８】
図８に示すように、本発明の一実施形態のシューズは、そのアッパーがニット組織からなる生地により構成された略ソックス形状を有しており、ソックス形状のままアッパーの底部をソールに固定することにより作成できる。このようにするとアッパーがソックス形状のシューズが作成でき、フィット性とホールド性のある簡素なデザインのシューズとすることができる。
【００１９】
図９に示すように、本発明の別の実施形態のシューズは、そのアッパーがニット組織からなる生地により構成された略ソックス形状を有しており、アッパーの底部をソールに固定し、足首前部を一部カットし、側部に補強シートを配置して靴紐通し部を備えたシューズである。このタイプのシューズは、側部補強部と紐により、より強固に足に固定できる。
【００２０】
本発明のシューズは、マラソン、ランニング、ウォーキングなどのスポーツ用シューズのほか、タウンシューズなど一般的なシューズとしても好適である。
【００２１】
以下図面を用いて説明する。以下の図面において同一符号は同一物を示す。図６は本発明の一実施形態で使用するソックス形状のアッパーの外観斜視図である。このソックス形状のアッパー２１は、丸編機を使用して編成したもので、ベース編部２２と踵部２７と、爪先部２８は通常のニット組織で構成されている。繊維補強部２３と繊維補強部２４と繊維補強部２５は浮き編み組織で編成されている。
【００２２】
繊維補強部２３は、使用者が本実施形態のシューズを履いた際に、使用者の楔状骨、立方骨及び舟状骨のそれぞれの一部と対応する位置に設けられている。また、繊維補強部２４は、外踝下部、内踝下部及び踵骨上部と対応する位置に設けられている。これら繊維補強部２３および２４に対応する使用者の足の部分は、使用者が運動などを行った際に、足の皮膚の伸縮が他の部分よりも小さい部分である。このため、繊維補強部２３および２４により足がホールドされた場合にも、皮膚の伸縮による摩擦や圧力の変化が小さいので、履き心地を損なうのを抑制することが可能である。また、繊維補強部２５は、第１中足骨から第５中足骨のつま先側部分と対応する位置に設けられており、第１中足骨、第２中足骨、第３中足骨、第４中足骨および第５中足骨に渡る部分を覆うように設けられている。この繊維補強部２５は、特に、足の力の方向を横方向（足幅方向）に急激に変更する場合にも、足のつま先側を十分にホールドすることができる。また、繊維補強部２５は、第１指中足部骨頭２６ａ及び第５指中足部骨頭２６ｂを覆う位置を避けて配置されている。
【００２３】
このソックス形状のアッパー２１の履き口２９は生地を内側に折り返すなどして補強されている。このアッパー２１は、シューズにする際の大きさより４０〜９０％小さく形成しておき、シューズにする際には伸長して組み込むように形成されている。このようにシューズを形成することにより、アッパー２１のフィット性を上げることが可能となる。すなわち、アッパー２１の静置状態の長さを１としたとき、シューズにした後の長さは１．１〜２．５倍に伸長するのが好ましい。
【００２４】
図７はアッパー２１の底から見た底面図である。繊維補強部２４と繊維補強部２５は底の繊維補強部３０で連続させている。この繊維補強部３０は、足裏の踵骨と対応する部分から第２〜第４中足骨のつま先側と対応する部分にかけて延びるように形成されている。これにより、底の部分をソールと接着一体化したときに接着し易くし、かつクッション性も損なわないようにできる。
【００２５】
図８は本発明の一実施形態のシューズ３１の外観斜視図である。図７に示すソックス形状のアッパー２１を約２倍に伸ばしてアッパー材３３とし、ソール３２に接着剤で一体化したものである。このシューズ３１はフィット性とホールド性のある簡素なデザインとなる。なお、本発明の一実施形態のシューズ３１には、略ソックス形状のアッパー２１が適用された例を示したが、繊維補強部３０に対応する部分が足幅方向で分断、または、足裏に対応する部分が開口された非ソックス形状であってもよい。
【００２６】
図９は本発明の別の一実施形態のシューズ３４の外観斜視図である。図８と異なる点は、ソックスの足首前部を一部カットし、側部に補強シート３５を配置して靴紐通し部を備え、紐３６を通した点である。このタイプのシューズ３４は、補強シート３５と紐３６により、シューズ３４をより強固に足にホールドさせることができる。
【実施例】
【００２７】
以下、本発明の実施例について述べるが、本発明はこれらに限定されるものではない。
（実施例１）
【００２８】
（１）使用糸
・図６に示す補強部は表糸：ａ、裏糸：ｂとゴム糸、編み組織：裏タック編＋浮き編
・補強無しの編地部分は表糸：ａ、裏糸：ｂとゴム糸、編み組織：裏タック編
ａ：ポリエステル(PET)111decitex(100d)-48/2×3本のマルチフィラメント糸
ｂ：33decitex(30d)ポリウレタンにポリエステル(PET)83decitex(75d)シングルカバリング糸
ゴム糸：289decitex(260d)ポリウレタンにポリエステル(PET) 83decitex(75d)をダブルカバリング糸
【００２９】
（２）編機
ロナティー社製の丸編機。径が３．７５インチであり、針本数が１３２もしくは１４４本。
【００３０】
（３）編成方法
図６に示すようなソックス形状のアッパーを編成した。踵部２７および爪先部２８はパイル編みにより編成されている。繊維補強部３０は、浮き編み（フロート編み）であり、そのベースは天竺編みである。繊維補強部２３、２４および２５は、それぞれ、裏タック編をベースとして、それに浮き編みを複合させた場合と裏タック編単独の場合の組み合わせとなる組織で編成されている。繊維補強部２３、２４および２５の浮き編みは、２７個のフロートにより構成され、繊維補強部３０の浮き編みは、８個のフロートにより構成されている。ソックス重量は片方で２５ｇであり、静置状態で足部の長さは１９ｃｍであった。つま先部の編み終わり部分と本体を縫製することで、指の形に合ったつま先部となった。履き口部分は編まれた組織を折り返し、本体と編機によって自動縫製して形成した。
【００３１】
（４）シューズの作成
アッパー（本体），履き口部補強パーツ，ソールを準備した。
(a)前処理
ソールのアッパー・履き口部補強パーツ接着面側にプライマー塗布して乾燥した。プライマーは接着剤がソールに付きやすくするために塗布した。同様に、履き口部補強パーツのソール接着面側にもプライマー塗布して乾燥した。
(b)ソールと履き口部補強パーツの接着
ソールの履き口部補強パーツ接着面と履き口部補強パーツのソール接着面を水溶性接着剤塗布し、ソールと履き口部補強パーツを圧着した。
(c)ソールとアッパーの接着
アッパーにラストを差し込み、アッパーのソール接着面とソールのアッパー接着面に水溶性接着剤を塗布し、接着剤を加熱乾燥し、アッパーとソールを圧着し、常温で半日乾燥し、シューズからラストを取り除き、ひもをシューズに取り付けた。その後、シューズを清掃し、シューズが完成する。
【００３２】
以上のようにして図９に示すシューズを作成した。このシューズと従来のランニングシューズ(ミズノ社製)とをフィット感に関する着用試験を実施した。被験者は５名、フィット感が良いか悪いかを7点満点で評価し、従来のランニングシューズのフィット感を４点として，発明品を"良い７点-悪い１点"の間で評価した。結果を表１に示す。
【００３３】
【表１】
2015066280.tif 000003
【００３４】
着用試験の結果、本発明の実施例品はフィット感が優位であった。またホールド性については従来のランニングシューズと同等であった。
【００３５】
図１０は本発明の実施例１のソックス形状のアッパーの繊維補強部とベース編部の応力−ひずみ（伸び）グラフである。ソックス形状のアッパーは足より小さく作製されており、アッパーを引き伸ばして履く。シューズに足を入れた時、アッパーは引き伸ばされ締付の応力が働く。この時の図１０のアッパーのひずみ量は0.5(元の長さの1.5倍)に相当し、浮き編み（フロート編み）がある部分の応力は 0.37N/mm、フロート編みがない部分の応力は 0.33N/mmであり、その差は小さい。運動時はアッパーが静止時よりさらに引き伸ばされる。運動時のアッパーのひずみ量が0.5を超える時、この応力の差がひずみの増加につれて大きくなることがグラフから読み取れる。例えば過度な運動時(ひずみ1(元の長さの2.0倍)に相当)、フロート編みがある部分の応力は 1.34 N/mm、ない部分の応力は0.80 N/mmとその差は大きくなっている。これよりフロート編の構造によりアッパー伸縮量が増加するほど引張強度が大きくなることがわかる。例えば踏付け部分のアッパーの長さ（ソール接着領域を除いた周囲長）は100mmの場合、足サイズが27cmの人が履いた際はアッパーが伸ばされ、アッパー長さは150mmになる。このとき、アッパー長さは初期長さ100mmから150mmに伸ばされ、ひずみは0.5になる。さらにこのシューズを履いて急激な方向転換など過度な運動をした場合、アッパーは過度に伸ばされる。過度な運動時としてアッパー長さが200mmまで伸びる状況を想定する。このとき、アッパーは初期長さ100mmから200mmに伸ばされ、ひずみは1.0になる。以上から本発明のソックスを使用する優位性がわかる。
【産業上の利用可能性】
【００３６】
本発明のシューズはマラソン、ランニング、ウォーキングなどのスポーツ用シューズのほか、タウンシューズなど一般的なシューズとしても好適である。
【符号の説明】
【００３７】
１，２３  繊維補強部
２，２４  繊維補強部
３，２５  繊維補強部
１８  表糸
１９  裏糸
２０  浮き編み糸
２１  アッパー
３１，３４  シューズ
３２  ソール
３３  アッパー材
３５  補強シート
３６  紐
４１  平編み
４２  ２回裏糸タック編み
【図１Ａ】
2015066280.tif 000004
【図１Ｂ】
2015066280.tif 000005
【図２Ａ】
2015066280.tif 000006
【図２Ｂ】
2015066280.tif 000007
【図３】
2015066280.tif 000008
【図４】
2015066280.tif 000009
【図５】
2015066280.tif 000010
【図６】
2015066280.tif 000011
【図７】
2015066280.tif 000012
【図８】
2015066280.tif 000013
【図９】
2015066280.tif 000014
【図１０】
2015066280.tif 000015